(57)【要約】【課題】安定した間仕切りを手軽に構築することができる間仕切装置を提供する。【解決手段】  複数の管を連結することによって組み立てられた枠組みにパネルが取り付けられる間仕切装置であって、前記複数の管の全部又は一部は、切り欠きを側面に有しており、前記パネルは、突起を端面に有しており、前記パネルの突起を前記切り欠きに嵌め込むことによって前記パネルが前記枠組みに取り付けられる。【選択図】図１
2012184556.tif 000002
【特許請求の範囲】
【請求項１】
複数の管を連結することによって組み立てられた枠組みにパネルが取り付けられる間仕切装置であって、
前記複数の管の全部又は一部は、切り欠きを側面に有しており、
前記パネルは、突起を端面に有しており、
前記パネルの突起を前記切り欠きに嵌め込むことによって前記パネルが前記枠組みに取り付けられる、
ことを特徴とする間仕切装置。
【請求項２】
前記管は、紙管である、ことを特徴とする請求項１に記載の間仕切装置。
【請求項３】
前記パネルは、プラスチック製の段ボールである、ことを特徴とする請求項１または請求項２に記載の間仕切装置。
【発明の詳細な説明】
【技術分野】
【０００１】
本発明は、間仕切装置に関する。
【背景技術】
【０００２】
従来、パネル部分を段ボール又は紙パネル、支柱部分を紙管で構成、各部材の連結部分も紙パネルおよび紙管に加工して設けた切り欠き・溝などにより連結・固定する家具用紙パネルが提案された（特許文献１参照）。
【先行技術文献】
【特許文献】
【０００３】
【特許文献１】実用新案登録第３１０２６３４号公報
【発明の概要】
【発明が解決しようとする課題】
【０００４】
しかしながら、上記従来の家具用紙パネルでは、溝から管が割れやすいため間仕切りが突如崩壊しやすく、また、パネルを取り付けた後にパネルが外れないように注意しながら管を連結させなければならない、という問題があった。
【０００５】
そこで、本発明は、安定した間仕切りを手軽に構築することができる間仕切装置を提供することを目的とする。
【課題を解決するための手段】
【０００６】
本発明によれば、上記課題は、次の手段により解決される。
【０００７】
本発明は、複数の管を連結することによって組み立てられた枠組みにパネルが取り付けられる間仕切装置であって、前記複数の管の全部又は一部は、切り欠きを側面に有しており、前記パネルは、突起を端面に有しており、前記パネルの突起を前記切り欠きに嵌め込むことによって前記パネルが前記枠組みに取り付けられる、ことを特徴とする間仕切装置である。
【０００８】
また、本発明は、前記管は、紙管である、ことを特徴とする上記の間仕切装置である。
【０００９】
また、本発明は、前記パネルは、プラスチック製の段ボールである、ことを特徴とする上記の間仕切装置である。
【発明の効果】
【００１０】
本発明によれば、安定した間仕切りを手軽に構築することができる間仕切装置を提供することができる。
【図面の簡単な説明】
【００１１】
【図１】本発明の実施形態に係る間仕切装置の概略構成を示す図である。
【図２】本発明の実施形態に係る間仕切装置を用いた間仕切りの例を示す図である。
【図３】本発明の実施形態に係る間仕切装置を用いた間仕切りの例を示す図である。
【図４】本発明の実施形態に係る間仕切装置を用いた間仕切りの例を示す図である。
【発明を実施するための形態】
【００１２】
以下に、添付した図面を参照しつつ、本発明を実施するための形態について説明する。
【００１３】
［本発明の実施形態に係る間仕切装置］
図１は、本発明の実施形態に係る間仕切装置の概略構成を示す図である。
【００１４】
図１に示すように、本発明の実施形態に係る間仕切装置１は、複数の管１０を連結することによって組み立てられる枠組みにパネル２０が取り付けられる間仕切装置１である。複数の管１０の連結は、連結装置３０により行われる。
【００１５】
複数の管１０のうちの垂直方向の管は、切り欠き１１を側面に有しており、パネル２０は、突起２１を端面に有している。パネル２０の突起２１を切り欠き１１に嵌め込むことによってパネル２０が枠組みに取り付けられる。
【００１６】
（安定した間仕切り）
１つの管に２つ以上の溝を形成すると、溝から管が割れやすくなるため、間仕切りが突如崩壊しやすくなる。しかしながら、本発明の実施形態に係る間仕切装置１によれば、切り欠き１１が管１０に形成されるため、溝から管が割れるということがなく、安定した間仕切りを行うことが可能となる。
【００１７】
（手軽に構築できる間仕切り）
また、パネルを管の端面からスライドさせるようにして管の溝に差し込む構成の場合、パネル取付後の枠組みを組み立てる段階において、管を傾けることによってパネルが上記スライドさせた方向とは逆の方向にスライドして管の溝から滑り落ちてしまう可能性があるため、管が傾かないように注意しながら管を連結させなければならなかった。
【００１８】
しかしながら、本発明の実施形態に係る間仕切装置１によれば、切り欠き１１が管１０の側面に形成され、この切り欠き１１にパネル２０の突起２１を嵌め込んでパネル２０を枠組みに取り付ける構成が採られるため、パネル２０を取り付ける前に管１０を連結させることができ、間仕切りを手軽に構築することが可能となる。
【００１９】
［各部材］
次に、各部材について詳細に説明する。
【００２０】
（管）
管１０としては、例えば、紙管やプラスチック製の管などを用いることができる。複数の管１０のうちの全部又は一部は、切り欠き１１を側面に有している。切り欠き１１には、パネル２０の端面に形成された突起２１が嵌め込まれる。
【００２１】
なお、切り欠き１１の位置や数は特に限定されるものではないが、１つの管１０の右側面、左側面、前側面、及び後側面に４つのパネルをそれぞれ取り付ける場合、管１０の右側面と左側面とに切り欠き１１を対向するようにそれぞれ形成し、管１０の前側面と後側面とに切り欠き１１を対向するようにそれぞれ形成し、右側面及び左側面に形成した切り欠き１１と、前側面及び後側面に形成した切り欠き１１との、管１０の端面からの位置を異ならしめることが好ましい。このようにすれば、切り欠き１１が形成された箇所における管１０の強度が極端に低下することを防止することができる。
【００２２】
（パネル）
パネル２０としては、例えば、プラスチック製の段ボール（プラ段）や紙製の段ボールなどを用いることができる。パネル２０は、突起２１を端面に有している。この突起２１は、例えば、パネル２０の対向する端面に形成され、管１０の側面に形成された切り欠き１１に嵌め込まれる。
【００２３】
本発明の実施形態に係る間仕切装置１では、パネル２０の突起が切り欠き１１に嵌め込まれることにより、パネル２０が管１０によって保持され、パネル２０が枠組みに取り付けられる。
【００２４】
（連結装置）
連結装置３０は、凸部を有する基体３１と、基体３１の凸部に取り付けられる接続体３２と、を備えている。１つの基体３１に複数の接続体３２を取り付け、複数の接続体３２のそれぞれに複数の管１０をそれぞれ取り付けることにより、複数の管１０が連結される。
【００２５】
基体３１は、２つの基体片３１ａ、３１ｂを組み合わせて構成され、組み合わせた場合に形成される凸部に接続体３２を取り付けることにより固定される。基体３１が有する凸部のうち接続体３２を取り付けない凸部については、キャップ３３を取り付けることができる。接続体３２には、足部材３４を取り付けることもできる。
【００２６】
なお、本発明の実施形態に係る間仕切装置１では、複数の管１０のうちの垂直方向の管が切り欠き１１を側面に有するものとしたが、複数の管１０の全部（例えば、垂直方向及び／又は水平方向のすべての管１０）が切り欠き１１を側面に有するものとしてもよい。
【実施例１】
【００２７】
図２〜図４は、本発明の実施形態に係る間仕切装置を用いた間仕切りの例を示す図である。
【００２８】
図２〜図４に示すように、本発明の実施形態に係る間仕切装置１によれば、オフィスや自宅などにおける空間をこれらの形状や雰囲気などに合わせて区切ることができ、それらの空間の個性を生かしつつ、無駄のない間仕切りを行うことが可能となる。
【００２９】
以上、本発明の実施形態及び実施例について説明したが、これらの説明は、本発明の一例に関するものであり、本発明は、これらの説明によって何ら限定されるものではない。
【符号の説明】
【００３０】
１    間仕切装置
１０    管
１１    切り欠き
２０    パネル
２１    突起
３０    連結装置
３１    基体
３１ａ、３１ｂ    基体片
３２    接続体
３３    キャップ
３４    足部材
【図１】
2012184556.tif 000003
【図２】
2012184556.tif 000004
【図３】
2012184556.tif 000005
【図４】
2012184556.tif 000006